(57)【特許請求の範囲】
【請求項１】
噴射ノズルから噴射される噴射液体を、薄い弾性部材からなる膜部材を介して使用者に作用させるようにした液体式マッサージ装置において、
前記噴射ノズルが、所定軸線回りに回転自在に保持されると共に内部に液体通路が形成された回転子を有しており、
前記回転子に形成された前記液体通路が、噴射液体から該回転子が接線方向の速度成分を受けるように設定されて、噴射液体の有するエネルギによって該回転子が前記所定軸線回りに回転駆動されるようにされ、
前記回転子の外側面に、抵抗面部が突出形成され、
前記抵抗面部のうち少なくとも一部が、前記回転子の回転抵抗となるように液体中に位置するようにされている、
ことを特徴とする液体式マッサージ装置。
【請求項２】
請求項１において、
上方が開口される共にマッサージ用の液体が貯溜される細長い槽状とされた本体ハウジングを備え、
前記膜部材が、前記本体ハウジングの上方開口を液密に覆うようにして略水平に伸ばした状態で該本体ハウジングに固定されて、該膜部材によって使用者が略水平状態に倒伏した姿勢で支持されるようにされ、
前記本体ハウジング内には、噴射液体をほぼ上方に向けて噴射するように前記噴射ノズルが配設され、
前記本体ハウジング内に貯溜されている液体が、ポンプによって前記噴射ノズルに供給されて該噴射ノズルから噴射されて、前記膜部材に当たった後落下して、再び該本体ハウジング内に貯溜されるように循環使用され、
前記抵抗面部が、前記本体ハウジング内に貯溜されている液体中に位置され、
前記回転子のうち前記液体通路の流出口は、前記本体ハウジング内に貯溜されているマッサージ用の液体の液面よりも上方に位置されて、噴射液体が前記本体ハウジング内の空気中に噴射される、
ことを特徴とする液体式マッサージ装置。
【請求項３】
請求項１または請求項２において、
前記噴射ノズルが、前記本体ハウジングの長手方向に沿って変位可能として設定され、
前記噴射ノズルの変位位置にかかわらず、前記抵抗面部が常時液体中に位置するようにされている、
ことを特徴とする液体式マッサージ装置。
【請求項４】
請求項１ないし請求項３のいずれか１項において、
前記抵抗面部が全て液体中に位置するようにされている、ことを特徴とする液体式マッサージ装置。
【請求項５】
請求項１または請求項２において、
前記回転子と前記膜部材との間において、前記回転子の回転に応じて該回転子からの噴射液体を間欠的に遮断するための邪魔部が設けられている、
ことを特徴とする液体式マッサージ装置。
【請求項６】
請求項１または請求項２において、
前記抵抗面部が、板状に形成されると共に、前記回転子の回転方向略等間隔に複数設けられている、ことを特徴とする液体式マッサージ装置。
【請求項７】
請求項２において、
前記本体ハウジング内に、該本体ハウジングの長手方向に沿って走行レールが設けられ、
前記走行レール上を走行駆動される走行台車が設けられ、
前記噴射ノズルが、前記走行台車に取付けられ、
前記本体ハウジング内に貯溜される液体の液面が、前記走行レールよりも低い位置となるように設定され、
前記抵抗面部が、前記走行レールよりも低い位置に位置されて、前記本体ハウジング内に貯溜されている液体中に位置するようにされている、
ことを特徴とする液体式マッサージ装置。
【請求項８】
請求項７において、
前記本体ハウジングの底部に、該本体ハウジングの長手方向に沿って、溝状に細長く伸びる液体貯溜部が形成され、
前記走行レールが、前記液体貯溜部の上方開口縁部付近において、該液体貯溜部を挟んで左右一対設けられ、
前記抵抗面部が前記液体貯溜部内に位置するように、前記噴射ノズルが前記走行台車に取付けられている、
ことを特徴とする液体式マッサージ装置。
【請求項９】
保持部材と、
前記保持部材に所定軸線回りに回転自在に保持され、内部に液体通路が形成された回転子と、
前記回転子の外側面より突出された抵抗面部と、
を備え、前記回転子に形成された前記液体通路が、該液体通路を通って該回転子から噴射される噴射液体によって該回転子が接線方向の速度成分を受けるように設定されて、噴射液体の有するエネルギによって該回転子が前記所定軸線回りに回転駆動されるようにされている、
ことを特徴とする液体式マッサージ装置用の噴射ノズル。
【請求項１０】
請求項９において、
前記液体通路は、前記回転子のうち前記所定軸線方向一端面側において流入口を有すると共に、該回転子のうち該所定軸線方向他端面側において流出口を有し、
前記流入口は、前記所定軸線とほぼ同軸となるように位置設定され、
前記流出口は、前記所定軸線と偏心するように位置設定され、
前記液体通路のうち前記流入口と流出口とを連通している連通部は、少なくとも該流出口付近において、前記回転子の回転方向に伸びるようにされている、ことを特徴とする液体式マッサージ装置の噴射ノズル。
【請求項１１】
請求項９または請求項１０において、
前記保持部材が、前記回転子よりも前記流出口側において、前記所定軸線とほぼ直交する方向に伸びる邪魔部を有し、
前記回転子の回転に応じて、前記流出口が前記邪魔部に間欠的に臨むようにされている、
ことを特徴とする液体式マッサージ装置用の噴射ノズル。
【請求項１２】
請求項１１において、
前記邪魔部が、前記回転子の回転方向略等間隔に複数設けられている、ことを特徴とする液体式マッサージ装置用の噴射ノズル。
【請求項１３】
請求項９または請求項１０において、
前記抵抗面部が、前記回転子の回転方向略等間隔に複数設けられている、ことを特徴とする液体式マッサージ装置用の噴射ノズル。
【請求項１４】
請求項９ないし請求項１３のいずれか１項において、
前記抵抗面部は、前記回転子からの突出長さが変更できるようにされている、ことを特徴とする液体式マッサージ装置用の噴射ノズル。
【請求項１５】
請求項１４において、
前記抵抗面部が、手指によって曲げ方向に容易に塑性変形させることが可能な金属板で形成されている、ことを特徴とする液体式マッサージ装置用の噴射ノズル。
【請求項１６】
請求項９ないし請求項１５のいずれか１項において、
前記抵抗面部は、板状に形成されて、その板面が前記所定軸線をほぼ中心とする放射方向に伸びるようにかつほぼ該所定軸線に沿って伸びるようにされている、ことを特徴とする液体式マッサージ装置用の噴射ノズル。
【発明の詳細な説明】
【０００１】
【発明の属する技術分野】
本発明は液体式マッサージ装置およびその噴射ノズルに関するものである。
【０００２】
【従来の技術】
人体に対するマッサージを行うマッサージ装置の中には、特表平４−５００３２９号公報、実開昭６２−１１３５４７号公報に示すように、噴射ノズルから噴射される液体つまり噴射液体を利用したものがある。すなわち、薄い弾性部材からなる膜部材に対してマッサージを受ける使用者が密着されて、膜部材を挟んで使用者とは反対側に配設した噴射ノズルからの噴射液体を膜部材に衝突させることにより、噴射液体の有する圧力が膜部材を介して使用者に伝達されて、マッサージ効果が得られることになる。
【０００３】
前記特表平４−５００３２９号公報に開示のものでは、上方が開口された槽状の本体ハウジングが用意されて、膜部材が本体ハウジングの上方開口を液密に覆うように配設されて、この膜部材上に使用者が例えばあお向けの姿勢で保持される。本体ハウジング内に配設される噴射ノズルは、当該本体ハウジングの底部に貯溜されるマッサージ用液体よりも高い位置に位置設定されて、噴射ノズルからの噴射液体は、本体ハウジング内の空気中に噴射されるように設定される。本体ハウジングの底部に貯溜されたマッサージ用液体は、ポンプによって汲み上げられて噴射ノズルから噴射されることにより、膜部材に下方から衝突され、膜部材に衝突して落下される噴射液体が再び噴射ノズルに供給される（マッサージ液体の循環使用）。
【０００４】
【発明が解決しようとする課題】
前述した液体式マッサージ装置において、噴射液体の噴射方向を微妙に変更してマッサージ位置を微妙に変更させる等の理由から、噴射ノズルとして回転子を有するものが考えられている。すなわち、回転自在とされた回転子の内部に液体通路を形成して、この液体通路の形状を、噴射される噴射液体によって回転子に接線方向の速度成分が発生するような形状に設定すること、つまり噴射液体によって回転子に回転駆動力を与えることが考えられている。上記回転子内に形成された液体通路は、その流出口が必然的に回転子の所定回転軸線に対して偏心した位置となるため、回転子の回転に応じて、噴射液体の噴射方向が変更されることになる。
【０００５】
上述のように、噴射液体によって回転子に対して十分な回転駆動力を与えようとすると、回転子の回転数が非常に高くなりすぎてしまうことになる、ということが判明した。マッサージ効果を低減させることなくつまり噴射圧力を大きく低下させることなく回転数を低下させるには、回転子に形成された液体通路の出口付近形状を、噴射液体の接線方向成分が小さくなるように設定することが考えられる。しかしながら、この場合は、噴射液体による回転子の回転駆動力が相当に小さくなってしまい、このことは、相対的に回転子の回転抵抗や製作誤差等による外乱の影響が大きくなってしまい、安定的に低速回転を得ることが相当に難しいものとなる。
【０００６】
本発明は以上のような事情を勘案してなされたもので、その第１の目的は、回転子内に形成された液体通路から噴射液体を噴射させる場合に、噴射液体を利用して回転子を安定して低速回転させることのできるようにした液体式マッサージ装置を提供することにある。
本発明の第２の目的は、上記液体式マッサージ装置に用いる噴射ノズルを提供することにある。
【０００７】
【課題を解決するための手段】
前記第１の目的を達成するため、本発明にあっては次のような解決手法を採択してある。すなわち、特許請求の範囲における請求項１に記載のように、
【０００８】
噴射ノズルから噴射される噴射液体を、薄い弾性部材からなる膜部材を介して使用者に作用させるようにした液体式マッサージ装置において、
前記噴射ノズルが、所定軸線回りに回転自在に保持されると共に内部に液体通路が形成された回転子を有しており、
前記回転子に形成された前記液体通路が、噴射液体から該回転子が接線方向の速度成分を受けるように設定されて、噴射液体の有するエネルギによって該回転子が前記所定軸線回りに回転駆動されるようにされ、
前記回転子の外側面に、抵抗面部が突出形成され、
前記抵抗面部のうち少なくとも一部が、前記回転子の回転抵抗となるように液体中に位置するようにされている、
ようにしてある。上記解決手法を前提とした好ましい態様は、特許請求の範囲における請求項２〜請求項８に記載のとおりである。
【０００９】
側第２の目的を達成するため、本発明にあっては次のような解決手法を採択してある。すなわち、特許請求の範囲における請求項９に記載のように、
保持部材と、
前記保持部材に所定軸線回りに回転自在に保持され、内部に液体通路が形成された回転子と、
前記回転子の外側面より突出された抵抗面部と、
を備え、前記回転子に形成された前記液体通路が、該液体通路を通って該回転子から噴射される噴射液体によって該回転子が接線方向の速度成分を受けるように設定されて、噴射液体の有するエネルギによって該回転子が前記所定軸線回りに回転駆動されるようにされている、
ようにしてある。上記解決手法を前提とした好ましい態様は、特許請求の範囲における請求項１０以下５に記載のとおりである。
【００１０】
【発明の効果】
請求項１によれば、噴射液体の反動によって回転子が回転駆動されることになるが、液中に位置する抵抗面部が回転子の回転に対して大きな抵抗を与えることになり、マッサージに要求される大きな圧力でもって噴射される噴射液体による大きな回転駆動力を十分低減して、回転子を安定的に所望の低速回転数でもって回転させることが可能となる。
請求項２によれば、ベッド形状に設定されたマッサージ装置において、マッサージ液を循環使用するものが得られる。また、回転子に大きな抵抗を与えるために必要な液体として、マッサージ液体そのものを利用することができる。
【００１１】
請求項３によれば、噴射ノズルつまり回転子を変位させて、マッサージ位置を大きく変更させることができる。
請求項４によれば、抵抗面部を利用した抵抗を最大のものとしつつ、液面高さの若干の変動にかかわらずの回転子の回転数を常時一定回転数に維持する上で好ましいものとなる。
請求項５によれば、噴射液体を使用者に間欠的に作用させて、マッサージ効果を高める上で好ましいものとなる。
【００１２】
請求項６によれば、抵抗面部を利用した大きな抵抗の確保と、得られた大きな抵抗が回転子の円滑な回転を阻害しないようにする上で好ましいものとなる。
請求項７によれば、噴射ノズルつまり回転子を大きく変位させる場合に、走行レールと走行台車を利用して円滑に行うことができる。また、本体ハウジング内の底部に貯溜されているマッサージ用液体に対して走行レールや走行台車が極力触れないようにして、その走行抵抗を軽減する上で好ましいものとなる。
請求項８によれば、本体ハウジング内に貯溜するマッサージ用液体を極力少ないものとしつつ、抵抗面部をマッサージ液体中に位置させるのに必要な液面高さを十分に確保する上で好ましいものとなる。
【００１３】
請求項９によれば、前述した液体式マッサージ装置に用いることのできる噴射ノズルが提供される。
請求項１０によれば、回転子内に形成される液体通路のより具体的なものが提供される。
請求項１１によれば、回転子を回転自在に保持する保持部材を利用して、噴射液体を使用者に間欠的に作用させて、マッサージ効果を高める上で好ましいものとなる。
【００１４】
請求項１２によれば、噴射液体を使用者に間欠的に作用させるときに、回転子の１回転あたりの間欠回数を増大させることができる。
請求項１３によれば、抵抗面部を利用した大きな抵抗の確保と、得られた大きな抵抗が回転子の円滑な回転を阻害しないようにする上で好ましいものとなる。
請求項１４によれば、抵抗面部を利用した抵抗の大きさ調整つまり回転子の回転数調整を、抵抗面部の突出長さを変更することによって行うことができる。
請求項１５によれば、抵抗面部を手指によって曲げて、回転子の回転数を容易に変更することができる。
請求項１６によれば、同じ面積の板材を用いたときに、極力大きな抵抗を確保する上で好ましいものとなる。
【００１５】
図１、図２において、フレームＦ上に本体ハウジング１が固定、設置され、この本体ハウジング１は、上方のみが開口された図１左右方向に細長い槽状に形成されている。この本体ハウジング１は、略水平に配設されて、その上方開口は膜部材２によって液密に施蓋されている。この膜部材２上には、マッサージを受ける使用者Ｍが、例えばあお向け等の倒伏姿勢でもって保持（支持）される。膜部材２は、ゴム等の薄い弾性部材によって形成されており、保持されている使用者Ｍが大きな面積でもって密着されるようになっている。なお、膜部材２は、強度確保のために、内部に強化繊維を含むものを用いてもよく、あるいは本体ハウジング１に固定されたネット状の補強部材を別途その直下に配設する等のことを行ってもよい。
【００１６】
本体ハウジング１の底壁（底部）には、その長手方向ほぼ全長に渡って、ほぼ水平に伸びる細幅の溝状の貯溜部３が形成されている。この貯溜部３には、後述するようにマッサージ液体（通常は湯水が用いられる）が所定高さ分貯溜され、その液面が符号Ｌで示されている。本体ハウジング１の底部には、貯溜部３の上方開口縁部において、ほぼ水平に伸びる左右一対の走行レール４が配設、固定されている。この走行レール４上を、走行台車５が走行されるようになっており、その走行車輪が符号６で示される。
【００１７】
本体ハウジング１内には、走行レール４に沿って、当該走行レール４よりも若干高い位置において、駆動チェーン７が配設されている。この駆動チェーン７は、ほぼ水平に伸びていて、エンドレス式とされている。すなわち、駆動チェーン７は、本体ハウジング１内においてその長手方向端部に回転自在に保持された一対のスプロケット８、９に巻回されており、駆動チェーン７の上方行程部が符号７ａで、また下方行程部が符号７ｂで示される。スプロケット８が駆動スプロケット、スプロケット９が従動スプロケットとされており、駆動スプロケット８が、本体ハウジング１下方に設置した駆動モータ１０によって、図示を略す連動機構を介して駆動される。走行台車５は、駆動チェーン７のうち、上方行程部７ａまたは下方行程部７ｂのいずれか一方に連結、固定されて、モータ１０によりスプロケット８を正逆回転させることによって、走行台車５が往復駆動される。モータ１０の駆動を制御することにより、走行台車５の往復駆動範囲を任意に変更することができ、また任意の走行位置でもって走行台車５を停止させておくことができる。
【００１８】
走行台車５には、分配タンク１１が固定され、この分配タンク１１上に、左右一対の噴射ノズル１２が設けられている。噴射ノズル１２からマッサージ液体を噴射させるため、本体ハウジング１下方には、モータ１３によって駆動されるポンプ１４が装備される。ポンプ１４は、前記貯溜部３内に貯溜されているマッサージ液体を汲み上げて、流量（圧力）制御弁１５を介して、分配タンク１１へとマッサージ液体を圧送する。なお、分配タンク１１へマッサージ液体を供給する配管のうち、少なくとも分配タンク１１側の部分は、所定長さに渡って可撓性を有する可撓配管によって行われる。
【００１９】
分配タンク１１へ圧送されたマッサージ液体は、噴射ノズル１１からほほ上方に向けて噴射されて、膜部材２の下面に衝突され、このときの衝突力（圧力）によって、使用者Ｍに対してマッサージ効果が与えられる。膜部材２に衝突したマッサージ液体は、下方へ落下して貯溜部３へと戻り、再び噴射ノズル１１からの噴射用として使用されることになる。なお、それぞれ図示は略すが、本体ハウジング１内への必要量のマッサージ液体供給は、本体ハウジング１の上部においてその内外を連通する供給配管を介して行われる。また、貯溜部３内のマッサージ液体の温度を検出するセンサおよび冷却器を備えていて、マッサージ液体の温度が所定温度以上の高温となると、マッサージ液体の一部が冷却器を通過するように設定されている。
【００２０】
次に、図３〜図５を参照しつつ、噴射ノズル１１の詳細について説明する。まず、噴射ノズル１１は、分配タンク１１上に着座、固定される保持部材２１を有する。この保持部材２１は、平板状のベ−ス部材２２と、ベ−ス部材２２の端部に一体化されて細幅で全体的に略Ｌ字状とされたの脚部材２３とを有する。ベ−ス部材２２は、分配タンク１１の上面に形成された液体通路としての開口２４に液密に連通される開口２５を有する。脚部材２３は、上方へ伸びる縦部２３ａと、縦部２３ａの上端からほぼ水平に伸びる横部２３ｂとを有する。
【００２１】
噴射ノズル１２は、保持部材２１に回転自在に保持された回転子３１を有する。回転子３１は、例えば軸方向に伸びる円柱状とされて、その下端部がベ−ス部材２２に回転自在に係合され、その上端部が横部２３ｂに回転自在に係合されており、回転子３１の所定回転軸線が符号Ｏで示される。回転子３１の回転保持部分についてより詳細に説明すると、まず、ベ−ス部材２２には、その開口２５の周縁部において軸受部としての断面円形の凹部３２が形成される一方、回転子３１の底面中央部には軸部としての断面円形の凸部３３が形成されて、凸部３３が凹部３２に回転自在に嵌合されている。また、横部２３ｂの下面には、軸受部としての断面円形の凹部３４が形成される一方、回転子３１の上面中央部には軸部としての断面円形の凸部３５が形成されて、凸部３５が凹部３４に回転自在に嵌合されている。
【００２２】
回転子３１には、マッサージ液体用の液体通路３６が形成されている。この液体通路３６は、回転子３１の下面に開口する流入口３６ａと、回転子３１の上面に開口する流出口３６ｂと、これら３６ａと３６ｂとを連通する連通部３６ｃとを有する。流入口３６ａは、回転子３１の回転軸線Ｏとほぼ同一軸線上に位置するように形成されて、ベ−ス部材２２に形成された開口２５に整合して、分配タンク１１（の開口２４）からマッサージ液体が流入される。流出口３６ｂは、上記軸線Ｏとは偏心した位置に形成されている。連通部３６ｃは、上記３６ａと３６ｂとを連通させる関係上、流入口３６ａから流出口３６ｂに向かうにつれて、徐々に回転子３１の径方向外方側へと向かうように形成されている。
【００２３】
連通部３６ｃのうち、少なくとも流出口３６ｂ付近は、流出口３６ｂから噴射される噴射液体からの反動によって回転子３１が回転駆動力を受けるように、回転子３１の回転方向（周方向）に若干長く伸びるように設定されている。すなわち、流出口３６ｂからは、回転子３１の接線方向の速度成分をもって噴射液体が噴射されるようにされている。このように、連通部３６ｃは、流入口３６ａから流出口３６ｂへ向けては径方向外方外方側へ向かうようにする必要がある一方、流出口３６ｂ付近では回転子３１の回転方向に伸びる部分を長く確保する必要があり、このため、連通部３６ｃの流入口３６ａからの上方変位量というものを考えたとき、流入口３６ａ付近では、上方変位量に対する径方向外方側への変位量が大きくなっており、流出口３６ｂ付近では、上方変位量に対する径方向外方側への変位量は小さいものとなっている。
【００２４】
上述のような連通部３６ｃの形状設定によって、図４、図５に示すように、実線矢印で示すようにマッサージ液体が噴射されたとき、一点鎖線矢印で示すように回転子３１が回転駆動力を受けることになる。勿論、流出口３６ｂからの噴射液体の噴射方向は、所定軸線Ｏに対して若干傾いた方向となり、回転子３１の回転に応じて、噴射方向が自動的に変更されることになる。なお、連通部３６ｃは、流出口３６ｂに向かうにつれて徐々に有効開口面積が小さくなるように設定することもでき、あるいは流入口３６ａから３６ｂに渡って有効開口面積を同じに設定することもできる。
【００２５】
回転子３１が回転したとき、流出口３６ｂは、横部２３ｂを間欠的に通過（掃過）することになる。すなわち、流出口３６ｂから噴射される噴射液体が、回転子３１の回転に応じて、横部２３ｂに対して衝突する状態と衝突しない状態とが間欠的に発生することになる。このように、横部２３ｂが、邪魔部を構成することになる。勿論、噴射液体が横部２３ｂに衝突したときが、噴射液体が膜部材２に到達しない状態（あるいは到達してもマッサージ効果が事実上期待できない程度に減衰された状態）となり、間欠的なマッサージ作用が得られることになる。なお、実施形態では、回転子３１の１回転あたり２回だけ横部２３ｂに衝突するようになっている（実施形態では、邪魔部が、回転子３１の回転方向略等間隔に２個設けられている状態）。
【００２６】
回転子３１の外側面には、抵抗面部としての抵抗板４１が、ねじ４２によって固定されている。この抵抗板４１は、例えばアルミニウム合金等、手指によって容易に曲げ変形できるような硬さの金属板で形成されている。実施形態では、全体として４角形とされて、その板面が、所定軸線Ｏに沿うようにかつ所定軸線Ｏを中心とする放射方向に伸びるようされている。このような抵抗板４１は、回転子３１の周方向略間隔に合計２個設けられている。
【００２７】
回転子３１を有する噴射ノズル１２は、抵抗板４１が全体的に貯溜部３内のマッサージ液体中に位置するように、かつ流出口３６ｂがマッサージ液体の上方（にある空気中）に位置するようにして、走行台車５に取付けられる。すなわち、走行台車５の走行位置にかかわらず、抵抗板４１の上端が貯溜部３内のマッサージ液体の液面Ｌよりも常時低い位置となるようにされ、しかも流出口３６ｂが液面Ｌよりも常時高い位置となるようにされる。このような設定を得るために、抵抗板４１の上端位置は、回転子３１の上端位置（流出口３６ｂの位置）よりも所定分低くなるように設定されているが、この所定分の高さの相違は、使用中における液面Ｌの最大高さ変動を考慮して設定されて、液面Ｌの高さ位置変動にかかわらず、流出口３６ｂが常時液面Ｌよりも高い位置でかつ抵抗板４１が常時液面Ｌよりも低い位置となるようにされる。なお、流出口３６ｂを液面Ｌよりも低い位置に設定することも可能ではあるが、噴射エネルギの損失が発生して好ましくない。また、抵抗板４１もその一部（例えば下から半分程度）のみを液中に位置させることもできるが、抵抗板４１を利用した抵抗力を極力効果的に得るため、あるいは上述した液面変動が発生する場合は液面変動によって抵抗板４１を利用した抵抗力が変動してしまうことを考慮すると、抵抗板４１は常時全て液中に位置するように設定するのが好ましいものとなる。
【００２８】
回転子３１（の流出口３６ｂ）からマッサージ液体を噴射したとき、つまりマッサージに必要な十分な大きさ（圧力、流量）とされたマッサージ液を噴射したとき、回転子３１は大きな回転駆動力を受けることになる、この一方、回転子３１は、抵抗板４１がマッサージ液中に存在することによって、空気中での回転に比して極めて大きな回転抵抗を発生することになる。つまり、噴射液体による大きな回転駆動力を、液体中での抵抗板４１による大きな回転抵抗により大きく低減して、回転子３１を所望の低速回転数でもって安定して回転させることが可能になる。すなわち、回転子３１の軸受部で生じる回転抵抗の相違や液体通路３６の製作誤差による回転駆動力の相違は相対的に小さい値とされて、実質的に噴射液体の反動による大きな回転駆動力と抵抗板４１による大きな回転抵抗とによって回転子３１の回転数が実質的に決定されるようになり、回転子３１の低速での回転数設定が容易となる。
【００２９】
回転子３１の回転数設定に際しては、邪魔部（横部材２３ｂ）による噴射液体の遮断回数でもって毎秒数回程度（例えば１回〜１０回程度、特に２回〜６回程度）とするの好ましく、実施形態のように１回転あたりの遮断回数が２回であれば、回転子３１の回転数は６０ｒｐｍ〜１２０ｒｐｍ程度の範囲に設定すればよい。なお、回転子３１の回転数数が遅い場合（噴射液体の遮断回数が少ない場合）は、マッサージを受ける使用者Ｍの体感上特に問題はないが、噴射液体の遮断回数が多すぎると痛みを感じる傾向が強くなるので、回転子３１の回転数が所定以上大きくならないようにするのが好ましい。
【００３０】
回転子３１を所望回転数でもって回転させるために、噴射ノズル１２の本体ハウジング１への組付前あるいは組付後にあらかじめ、実験的に、抵抗板４１の回転抵抗の大きさを調整しておくことができる。すなわち、抵抗板４１は、回転子３１の回転方向の投影面積が大きいほど大きくなるが、抵抗板４１を手指にて曲げ変形させることにより（図４一点鎖線の状態を参照）、この投影面積を小さくすることができる。
【００３１】
以上実施形態について説明したが、本発明はこれに限らず、例えば次のような場合をも含むものである。液体式マッサージ装置特に本体ハウジング１としては、ベッド形式のものに限らず、椅子形式のもの等、適宜の形式のものとすることができる。走行台車５つまり噴射ノズル１２の駆動は、チェーンではなくて、例えばねじ棒とこれに螺合されたナットとを利用する方式等、適宜の方式を採択できる。抵抗板４１は、２個に限らず、１個または３個以上の複数設けることができるが、回転子３１の回転方向略等間隔に複数設けるのが、回転子３１の円滑な回転を確保する上で好ましいものとなる。回転子３１に形成された液体通路３６の流出口３６ｂを、回転子３１の側面に開口させるようにすることもできる。
【００３２】
噴射液体を遮断する邪魔部による噴射液体の遮断回数は、回転子３１の１回転あたり１回あるいは３回以上の複数回に設定できる（邪魔部の個数設定は１以上の適宜の個数に設定できる）。また、この邪魔部は、噴射ノズル１２とは別個独立して設けることができるが、噴射ノズル１２に一体のものとして設けておくのが、コンパクト化等の上で好ましいものとなる。走行レール４や走行台車５を、貯溜部３内に貯溜されているマッサージ液体中に位置させることもできるが、走行抵抗軽減等の観点から、実施形態で示すように貯溜されているマッサージ液体よりも上方に位置させておくのが好ましい。噴射液体の圧力（流量）を変更することにより回転子３１の回転数調整を行うことができる。また、本体ハウジング１内に別途リザ−バタンクを設けて、このリザ−バタンクと貯溜部３との間での液体の行き来をさせるポンプ等を設けて、貯溜部３内の液面高さ調整を行なうことにより（抵抗板４１の液体中に位置する部分の割合変更）、回転子３１の回転数調整を行うこともできる。
【００３３】
抵抗面部としては、薄い板状とすることなく、ブロック状や回転方向の投影面積が大きくされた細長い棒状にする等、適宜の形態に設定することができる。なお、棒状に形成した場合は、多数要することになるが、回転抵抗調整は、その個数変更によって行うこともできる。抵抗板４１の回転子３１からの突出長さ調整の方式としては、例えば、抵抗板４１を回転子３１に対してスライド可能な差し込み形式による取付手法として、所望の差し込み長さ位置でもって例えばねじ固定する等、適宜の方式が採択し得る。噴射ノズル１２は、本体ハウジング１に対する設置位置が不変な固定設置式とすることができる。また、噴射ノズルとしては、本発明による噴射ノズル１２の他に、例えば回転しない噴射ノズルとの両方を有するものであってもよい。回転子３１を構成する材質としては、コストや重量さらには製造容易性等の観点から合成樹脂が好ましいが、金属とすることもできる。本発明の目的は、明記されたものに限らず、実質的に好ましいあるいは利点として表現されたものを提供することをも暗黙的に含むものである。
【図面の簡単な説明】
【図１】本発明の一実施形態を示す全体側面断面図。
【図２】図１のＸ２−Ｘ２線方向断面図。
【図３】噴射ノズル部分の側面断面図。
【図４】図３の上面図。
【図５】回転子を上方から見た図。
【符号の説明】
Ｍ：使用者
Ｌ：液面
Ｏ：所定軸線（回転軸線）
１：本体ハウジング
２：膜部材
３：貯溜部
４：走行レール
５：走行台車
７：駆動チェーン
１０：駆動モータ（走行駆動用）
１２：噴射ノズル
１３：モータ（ポンプ駆動用）
１４：ポンプ（噴射用）
２１：保持部材
２３ｂ：横部材（邪魔部）
３１：回転子
３６：液体通路
３６ａ：流入口
３６ｂ：流出口
３６ｃ：連通部
４１：抵抗板（抵抗面部）
【図１】
0004109382.tif 000002
【図２】
0004109382.tif 000003
【図３】
0004109382.tif 000004
【図４】
0004109382.tif 000005
【図５】
0004109382.tif 000006